(57)【要約】【課題】溶接やビス止めなど面倒な取付作業の必要なく、簡単に且つ廉価に金属製パレットの脚柱を補強することを実現する。【解決手段】補強カバー２０は、ばね鋼板を脚柱１４における底板部１４ａと一側の側板部１４ｂ（又は１４ｃ）の２面形状に合わせて略直角に折り曲げ、一辺側に第１補強板部２０ａを、他辺側に第２補強板部２０ｂを形成したＬ板状に全体を成形し、第１補強板部２０ａの端縁を屈曲させて、そこに第２嵌め込み部１４ｅの一部板片２１に引っ掛け可能なフック部２０ｃを形成すると共に、第２補強板部２０ｂの端縁を屈曲させて、そこに一側の側板部板面に弾性的に押し当てる押当て部２０ｅを形成してなる。【選択図】          図１
0003109569.tif 000002
【実用新案登録請求の範囲】
【請求項１】
金属板を短尺なチャンネル状に曲げ成形し、対向する両側板部の底板部との角縁に第１嵌め込み部を、先端縁に第２嵌め込み部をそれぞれ外向きに突設した接続用の脚柱と、長尺な金属板を幅方向に凹凸が連設した波状に曲げ成形して長さ方向に少なくとも２つの縦溝が形成された上板および下板を用い、該上板と下板間に複数の前記脚柱を両側板部が直交する向きに配設し、これら脚柱の前記第１および第２嵌め込み部を前記縦溝に嵌め込んで組み立てた複数の脚部フレーム材を備え、これら平行な脚部フレーム材上に、それらと直交する向きに複数の天板材を固着して格子状に構成してなる金属製パレットにおいて、
前記脚柱に対し着脱自在に嵌め付けて装着する補強カバーであって、
ばね鋼板を前記脚柱における底板部と一側の側板部の２面形状に合わせて略直角に折り曲げ、一辺側に第１補強板部を、他辺側に第２補強板部を形成したＬ板状に全体を成形し、前記第１補強板部の端縁を屈曲させて、そこに前記第２嵌め込み部の一部板片に引っ掛け可能なフック部を形成すると共に、前記第２補強板部の端縁を屈曲させて、そこに一側の側板部の板面に弾性的に押し当てる押当て部を形成してなることを特徴とする、金属製パレットの脚柱用補強カバー。
【請求項２】
前記金属製パレットの前記天板材上に載せる荷物を識別する識別手段を設けてなることを特徴とする、請求項１に記載の金属製パレットの脚柱用補強カバー。
【考案の詳細な説明】
【技術分野】
【０００１】
本考案は、たとえばフォークリフトを使って載置荷物を搬送するのに好適な金属製パレットの脚柱用補強カバーに関する。
【背景技術】
【０００２】
従来、金属製パレット、例えばスチールパレットの中には、図７に示すように、複数の平行な脚部フレーム材１上に、それらと直交する向きに複数の天板材２を固着して格子状に組み付け、特に、脚部フレーム材１を、上板１ａと下板１ｂ間に複数の短尺なチャンネル状脚柱１ｃを挟んで固着した構造にしたものがある。そして使用時は、通常、脚部フレーム材１の脚柱１ｃ間に形成された開口部３に、フォークリフトのフォーク４を差し込んで、天板材２上に載置した荷物を持ち上げて搬送している。
【考案の開示】
【考案が解決しようとする課題】
【０００３】
ところが、上述した従来の金属製パレットでは、通常、脚柱１ｃが一枚の金属薄板をチャネル状に曲げ加工した構造であるため、使用時に、運転者の熟練度合いによっては、操作を誤ってフォーク４を脚柱１ｃに衝突させて脚柱１ｃを座屈させ、これにより、パレット全体が変形して損壊してしまうことがある。また、例えばトラックの荷台上の指定位置に荷物を正確に載置するために、フォーク４で脚柱１ｃを押して荷物の位置調整を行うことがあるが、そのときに操作を誤ってフォーク４を脚柱１ｃに強くぶつけて、同様に脚柱１ｃを座屈させ、パレット全体を変形させて損壊してしまうことがあった。
【０００４】
そこで、従来、既存の金属製パレットに対し、脚柱１ｃを補強すべく、該脚柱１ｃに金属製の保護板を溶接やビス止めによって後付けすることが提案されている。しかし、そのように多数の脚柱１ｃに対し金属板を、いちいち溶接やビス止め等によって固着するのでは、それだけ取付作業に手間と時間を要し、コストも著しく高くなるという課題があった。
【０００５】
そこで、本考案の目的は、上述のような従来の課題を解決し、溶接やビス止めなど面倒な取付作業の必要なく、簡単且つ廉価に金属製パレットの脚柱を補強することを実現することにある。
【課題を解決するための手段】
【０００６】
そこで、上述した目的を達成すべく、請求項１に記載の考案による金属製パレットの脚柱用補強カバーは、たとえば以下に示す図示実施の形態のとおり、金属板を短尺なチャンネル状に曲げ成形し、対向する両側板部１４ｂ・１４ｃの底板部１４ａとの角縁に第１嵌め込み部１４ｄを、先端縁に第２嵌め込み部１４ｅをそれぞれ外向きに突設した接続用の脚柱１４と、長尺な金属板を幅方向に凹凸が連設した波状に曲げ成形して長さ方向に少なくとも２つの縦溝１６・１７が形成された上板１２および下板１３を用い、該上板１２と下板１３間に複数の前記脚柱１４を両側板部１４ｂ・１４ｃが直交する向きに配設し、これら脚柱１４の前記第１および第２嵌め込み部１４ｄ・１４ｅを前記縦溝１６・１７に嵌め込んで組み立てた複数の脚部フレーム材１０を備え、これら平行な脚部フレーム１０材上に、それらと直交する向きに複数の天板材１１を固着して格子状に構成してなる金属製パレットＰにおいて、前記脚柱１４に対し着脱自在に嵌め付けて装着する補強カバー２０であって、ばね鋼板を前記脚柱１４における底板部１４ａと一側の側板部１４ｂ（又は１４ｃ）の２面形状に合わせて略直角に折り曲げ、一辺側に第１補強板部２０ａを、他辺側に第２補強板部２０ｂを形成したＬ板状に全体を成形し、前記第１補強板部２０ａの端縁を屈曲させて、そこに前記第２嵌め込み部１４ｅの一部板片２１に引っ掛け可能なフック部２０ｃを形成すると共に、前記第２補強板部２０ｂの端縁を屈曲させて、そこに一側の側板部１４ｂ（又は１４ｃ）の板面に弾性的に押し当てる押当て部２０ｅを形成してなることを特徴とする。
【０００７】
請求項２に記載の考案は、請求項１に記載の金属製パレットの脚柱用補強カバー２０において、たとえば以下に示す図示実施の形態のとおり、前記金属製パレットＰの前記天板材１１上に載せる荷物を識別する識別手段を設けてなることを特徴とする。
【考案の効果】
【０００８】
請求項１に記載の考案によれば、脚柱の第２嵌め込み部の一部板片にフック部を引っ掛け、一側の側板部板面に押当て部を押し当てて、補強カバーを、そのばね性に基づいて第１および第２補強板部が脚柱の側板部の一方と底板部に重なった抱きつき状態で、脚柱に対し着脱自在に装着することにより、溶接やビス止めなどの面倒な取付作業が全く必要なく、簡単且つ廉価に金属製パレットの脚柱の剛性を高めて確実に補強することができる。
【０００９】
請求項２に記載の考案によれば、パレット使用時、脚柱に装着した補強カバーの識別手段に基づいて、天板材上に載せた、例えば段ボール箱で梱包した内部の荷物を簡単に外部から識別することができる。
【考案を実施するための最良の形態】
【００１０】
以下、図面を参照しつつ、本考案の実施の形態について説明する。
【００１１】
図５に、本考案による補強カバーを脚柱に装着した金属製パレットの例を示す。図示パレットＰは、いずれもスチール製の長尺な、脚部フレーム材１０と天板材１１とを用い、互いに平行に配設した３本の脚部フレーム材１０上に、それらと直交する向きに５枚の天板材１１をスポット溶接で固着して格子状に組み付けている。脚部フレーム材１０は、上板１２と下板１３間に複数の接続用脚柱１４を挟んで固着し、それら脚柱１４間に、フォークリフトのフォーク差込み用に開口部１５を形成した構造になっている。
【００１２】
図示パレットＰにおいて、天板材１１と、脚部フレーム材１０の上板１２および下板１３は、図２に示すように、いずれも幅方向に凹凸が連設した角波状に曲げ成形した板材からなる。特に、上板１２および下板１３は、それぞれ幅方向の両側縁に、少なくとも２つの平行な嵌め込み用縦溝１６・１７が長さ方向に形成された角波形状に加工されている。
【００１３】
脚部フレーム材１０において、脚柱１４は、たとえば一枚の薄鋼板を用い、全体を短尺なチャンネル状に曲げ成形し、いずれも平面状の底板部１４ａとその両側で対向する側板部１４ｂ・１４ｃを形成している。また、底板部１４ａと側板部１４ｂ・１４ｃ間のコーナーで互いに向き合うように小さくコ状に屈曲させると共に、両側板部１４ｂ・１４ｃの先端縁で同様に互いに向き合うように小さくコ状に屈曲させて、両側板部１４ｂ・１４ｃの底板部１４ａとの角縁に第１嵌め込み部１４ｄを、先端縁に第２嵌め込み部１４ｅ・１４ｅをそれぞれ外向きに突設している。第１および第２嵌め込み部１４ｄ、１４ｅは、上板１２と下板１３における縦溝１６・１７の溝幅に合わせ、それに嵌め込み可能な大きさのコ形状に曲げて加工されている。更に、両側板部１４ｂ・１４ｃは、上下の端部を外向きに直角に屈曲させて、そこに溶接用リブ片１４ｆ・１４ｇを形成し、両嵌め込み部１４ｄ、１４ｅの上下端部を、溶接用リブ片１４ｆ・１４ｇの高さ位置より、縦溝１６・１７の深さ分だけ図中上下方向へ突出させた形状になっている。そして、脚部フレーム材１０は、斯かる形状の脚柱１４を、上板１２と下板１３間に側板部１４ｂ・１４ｃが直交する向きに３個ずつ配設し、両嵌め込み部１４ｄ、１４ｅを縦溝１６・１７に嵌め込んで接続すると共に、リブ片１４ｆ・１４ｇにてスポット溶接して上板１２と下板１３に固定して組み立ててなる。
【００１４】
そこで、図示パレットＰは、上述した脚部フレーム材１０の脚柱１４に、本発明の補強カバー２０を嵌め付けて着脱自在に装着する。そのため、補強カバー２０は、ばね鋼板を用い、図３および図４に示すように、脚柱１４の底板部１４ａと側板部１４ｂ（又は１４ｃ）の２面形状に合わせて略直角に折り曲げ、一辺側に第１補強板部２０ａを、他辺側に第２補強板部２０ｂを形成したＬ板状に曲げ成形している。また、第１補強板部２０ａは、その端部を第２補強板部２０ｂと対向する内向きに直角に折り曲げ、更にその折り曲げ片における第２嵌め込み部１４ｅの曲げ板片２１に合わせてその略長さ位置で、曲げ先端を第２補強板部２０ｂ側へＶ形に折り返し、そこにフック部２０ｃを形成している。他方、第２補強板部は、その端部を第１補強板部２０ａと対向する内向きに直角に折り曲げ、更にその折り曲げ片における第１嵌め込み部１４ｄの曲げ板片２２に合わせてその幅サイズ位置で、曲げ先端を、第１補強板部２０ａへ向け凸状になるように図中左右逆くの字形に屈曲させて、折り曲げ片に嵌め付け部２０ｄと押当て部２０ｅを連設した形状に成形してなる。
【００１５】
さて、斯かる形状の補強カバー２０は、上述した構成のパレットＰに対し、図１に示すように、フック部２０ｃを、脚柱１４における第２嵌め込み部１４ｅ・１４ｅのいずれか一方の曲げ板片２１に引っ掛け、両補強板部２０ａ・２０ｂをばね性に抗して側板部１４ｂ（又は１４ｃ）と底板部１４ａに当てがい、更に第２補強板部２０ｂの嵌め付け部２０ｄをばね性に抗して第１嵌め込み部１４ｄのコ状凸部分に嵌め込みながら、押当て部２０ｅを側板部１４ｃ（又は１４ｂ）の板面に弾性的に押し当てて脚柱１４に嵌め付ける。そうすると、補強カバー２０は、両補強板部２０ａ・２０ｂがばね性に基づいて側板部１４ｂ（又は１４ｃ）と底板部１４ａに重なった抱きつき状態で、脚柱１４に装着される。そして、パレットＰにおいて、脚柱１４に装着した補強カバー２０は、図５に示すように、フォークリフトのフォークが衝突しやすい脚柱１４の底板部１４ａと側板部１４ｂ（又は１４ｃ）を、両補強板部２０ａ・２０ｂによって覆って保護する。
【００１６】
したがって、図示パレットＰの使用時に、たとえ操作を誤ってフォークリフトのフォークが脚柱１４に衝突することがあっても、脚柱１４は底板部１４ａおよび側板部１４ｂ（又は１４ｃ）を補強カバー２０の補強板部２０ａ・２０ｂで重ねて補強しているため、内側の脚柱１４に加わる衝撃力を弱めて、脚柱１４が座屈したりして損壊するのを防止する。また、天板材１１上の載置荷物から受ける鉛直荷重に対しても、これを脚柱１４と補強カバー２０とで支え、たとえ荷物が重量物であっても、同様に脚柱１４が座屈したりして損壊するのを防止する。
【００１７】
他方、補強カバー２０を必要に応じて脚柱１４から取り外すときは、押当て部２０ｅをばね性に抗して押し上げて、側板部１４ｃ（又は１４ｂ）に対する押し当てを外し、両補強板部２０ａ・２０ｂを剥がすようにして側板部１４ｂ（又は１４ｃ）と底板部１４ａから離脱させながら、フック部２０ｃの第２嵌め込み部１４ｅに対する引っ掛けを外せばよい。
【００１８】
ところで、本考案による補強カバー２０には、パレットの使用時、天板材１１上に載せる荷物を識別する識別手段を設ける構成にすることもできる。この識別手段は、たとえば補強カバー２０を色の異なるカラー鋼板で形成した構成にする。そして、天板材１１上に載せた、例えば段ボール箱で梱包した内部の荷物に応じて、該当する色の補強カバー２０を選択して脚柱１４に装着し、この補強カバー２０の色の違いによって天板材１１上に載せた荷物を識別する。したがって、本考案では、天板材１１上に載せた荷物に応じ、対応する色の補強カバー２０を脚柱１４に対し適宜に着脱して交換使用することができる。なお、本考案では、補強カバー２０の補強板部２０ａ・２０ｂに適宜のマークを刻印したり印刷したりして識別手段を構成することもできる。更には、補強板部２０ａ・２０ｂにシールを貼り付けて識別手段を構成することもできる。
【００１９】
上述した図示実施の形態の補強カバー２０は、フック部２０ｃをＶ形に曲げ、押当て部２０ｅをくの字状に曲げ成形した例を示したが、図示例に限らず、フック部は、脚柱１４の第２嵌め込み部１４ｅの一部板片に引っ掛け可能であれば、例えばＵ形など他のフック形状であってもよく、押当て部も、たとえば側板部１４ｃ（又は１４ｂ）の板面に押し当て可能であれば、Ｕ形・コ形のような凸状に形成してもよい。
【００２０】
なお、本考案の補強カバー２０は、たとえば図６に示すように、両補強板部２０ａ・２０ｂを一部細かい波状に成形して剛性を高めた板構造とし、これにより、横からのフォークリフトのフォークの衝突や載置荷物から受ける鉛直荷重に対する剛性を高めて強度を上げる構成にすることができる。
【図面の簡単な説明】
【００２１】
【図１】本考案による金属製パレットの脚柱用補強カバーを脚柱装着状態において示す斜視図である。
【図２】金属製パレットを分解してその構造を示す部分拡大斜視図である。
【図３】脚柱用補強カバーの形状を示す斜視図である。
【図４】脚柱用補強カバーの形状を示す平面図である。
【図５】脚柱用補強カバーを脚柱に装着した金属製パレットの全体構造を示す斜視図である。
【図６】脚柱用補強カバーの他例を示す平面図である。
【図７】従来の金属製パレットの構造を示す斜視図である。
【符号の説明】
【００２２】
Ｐ              パレット
１０            脚部フレーム材
１１            天板材
１２            上板
１３            下板
１４            脚柱
１４ａ          底板部
１４ｂ・１４ｃ  側板部
１４ｄ          第１嵌め込み部
１４ｅ          第２嵌め込み部
１６・１７      縦溝
２０            補強カバー
２０ａ          第１補強板部
２０ｂ          第２補強板部
２０ｃ          フック部
２０ｅ          押当て部
【図１】
0003109569.tif 000003
【図２】
0003109569.tif 000004
【図３】
0003109569.tif 000005
【図４】
0003109569.tif 000006
【図５】
0003109569.tif 000007
【図６】
0003109569.tif 000008
【図７】
0003109569.tif 000009